(57)【要約】【課題】  背凭れの起倒動作と連動して、補助脚が自動的に使用位置と収納位置に回動するようにする。【解決手段】  背凭れ５に設けたガイドレール２３内に、上下方向を向く作動ロッド２５を昇降可能に設け、この作動ロッド２５の下端に、下端が座フレーム１０に固着した支持ロッド３４に枢着された第１リンク部材２９を連結するとともに、作動ロッド２５の上端と補助脚６との間に、第２リンク部材３５の上下の端部を連結する。【選択図】  図３
2006223732.tif 000002
【特許請求の範囲】
【請求項１】
座フレームの後部に、背凭れの下端部を、起立状態と、ほぼ水平をなす倒伏状態との間を回動しうるように枢着するとともに、前記背凭れの背面上部に、該背凭れを前記倒伏状態としたときの脚となる補助脚を、背凭れの背面に沿う収納位置と、背凭れの背面より離間し、下端が床面と接床する使用位置とに回動可能に設けてなる椅子において、
前記背凭れに、上下方向を向く作動ロッドを昇降可能に設け、この作動ロッドの下端部に、下端が前記座フレームに枢着された第１リンク部材の上端を連結することにより、前記背凭れの後傾と連動して前記作動ロッドが上昇するようにし、かつ前記作動ロッドの上端部と前記補助脚との適所に、作動ロッドの上昇と連動して後傾することにより、補助脚を前記使用位置まで回動させる第２リンク部材の両端を連結したことを特徴とする椅子。
【請求項２】
背凭れ内に、作動ロッドを昇降可能に支持してガイドするガイドレールを設けた請求項１に記載の椅子。
【請求項３】
ガイドレールを平面視後向コ字状断面とし、その両後向片に形成した上下方向を向くガイド溝に、ガイドレール内において作動ロッドの上下の端部に挿通した一対の枢軸を摺動自在に嵌合することにより、作動ロッドをガイドレールにより昇降可能に支持した請求項２に記載の椅子。
【請求項４】
補助脚が使用位置まで回動したとき、第２リンク部材が、その補助脚への枢着部が作動ロッドへの枢着部の後ろ下方に位置するように、斜め上下方向に傾斜するようにした請求項１ないし３のいずれかに記載の椅子。
【請求項５】
補助脚の上部に、使用位置において上面が背凭れの背面に当接する後向折曲部を設けた請求項１ないし４のいずれかに記載の椅子。
【請求項６】
補助脚の前面が、収納位置において背凭れの背面に当接するようにした請求項１ないし５のいずれかに記載の椅子。
【請求項７】
補助脚の下端に、高さ調節用のアジャスタを設けた請求項１ないし６のいずれかに記載の椅子。
【発明の詳細な説明】
【技術分野】
【０００１】
本発明は、背凭れを起立状態と倒伏状態とに回動可能とした椅子に係り、特に、倒伏状態とした背凭れの後端部を床面により支持する補助脚を備える椅子に関する。
【背景技術】
【０００２】
この種の従来の椅子としては、背凭れの背面上部に、背凭れをほぼ水平をなす位置まで後方に倒伏したときに使用される補助脚を、床面と接床する使用位置と、背凭れの背面に沿う収納位置とに回動可能に装着し、かつ係止手段としてのストッパを設けて、補助脚を使用位置と収納位置とに係止しうるようにしたものがある（例えば特許文献１参照）。
【０００３】
【特許文献１】特開２００２−２８２０７７号公報
【発明の開示】
【発明が解決しようとする課題】
【０００４】
上記特許文献１に記載されている従来の椅子においては、背凭れを起立状態から倒伏状態とする際、もしくはそれと逆の状態とする際に、その都度、椅子の後方に廻り込んで補助脚のストッパを操作しなければならないため、背凭れを起倒させる作業に手間がかかっていた。
また、ストッパの操作を忘れて背凭れを起こすと、補助脚の下端部が後方を向き、作業者に当たる恐れもある。
【０００５】
本発明は、上記問題点を解決するためになされたもので、背凭れの起倒動作と連動して、補助脚が自動的に使用位置と収納位置に回動しうるようにし、その操作性を向上させ得るようにした椅子を提供することを目的としている。
【課題を解決するための手段】
【０００６】
上記目的を達成するために、本発明の請求項１に記載の椅子は、座フレームの後部に、背凭れの下端部を、起立状態と、ほぼ水平をなす倒伏状態との間を回動しうるように枢着するとともに、前記背凭れの背面上部に、該背凭れを前記倒伏状態としたときの脚となる補助脚を、背凭れの背面に沿う収納位置と、背凭れの背面より離間し、下端が床面と接床する使用位置とに回動可能に設けてなる椅子において、
前記背凭れに、上下方向を向く作動ロッドを昇降可能に設け、この作動ロッドの下端部に、下端が前記座フレームに枢着された第１リンク部材の上端を連結することにより、前記背凭れの後傾と連動して前記作動ロッドが上昇するようにし、かつ前記作動ロッドの上端部と前記補助脚との適所に、作動ロッドの上昇と連動して後傾することにより、補助脚を前記使用位置まで回動させる第２リンク部材の両端を連結したことを特徴としている。
この特徴によれば、背凭れを起倒動作させると、それと連動して補助脚が自動的に使用位置と収納位置とに回動するので、余分な操作は不要となり、操作性が向上する。
また、補助脚の回動は、作動ロッドと第１、第２リンク部を介して直接的に行われるので、回動が確実であり、故障する恐れもない。
【０００７】
本発明の請求項２に記載の椅子は、請求項１に記載の椅子であって、背凭れ内に、作動ロッドを昇降可能に支持してガイドするガイドレールを設けたことを特徴としている。
この特徴によれば、作動ロッドは、ガイドレールによりガイドされて昇降するので、スムーズに昇降する。また、作動ロッドが外部に露出しないので見栄えがよくなる。
【０００８】
本発明の請求項３に記載の椅子は、請求項２に記載の椅子であって、ガイドレールを平面視後向コ字状断面とし、その両後向片に形成した上下方向を向くガイド溝に、ガイドレール内において作動ロッドの上下の端部に挿通した一対の枢軸を摺動自在に嵌合することにより、作動ロッドをガイドレールにより昇降可能に支持したことを特徴としている。
この特徴によれば、作動ロッドは、コ字状断面のガイドレール内を、がた付くことなく安定的に昇降するため、第１、第２リンク部材や補助脚の動きもスムーズとなる。
【０００９】
本発明の請求項４に記載の椅子は、請求項１ないし３のいずれかに記載の椅子であって、補助脚が使用位置まで回動したとき、第２リンク部材が、その補助脚への枢着部が作動ロッドへの枢着部の後ろ下方に位置するように、斜め上下方向に傾斜するようにしたことを特徴としている。
この特徴によれば、第２リンク部材が筋交いの作用をなすので、使用位置にある補助脚に後方から強い力が加わっても、前方に回動する恐れはなく、従って背凭れを倒伏させた状態で椅子全体が後ろ下方に転倒するのが防止される。
【００１０】
本発明の請求項５に記載の椅子は、請求項１ないし４のいずれかに記載の椅子であって、補助脚の上部に、使用位置において上面が背凭れの背面に当接する後向折曲部を設けたことを特徴としている。
この特徴によれば、使用位置において補助脚と背凭れとの間に隙間やがたが生じないだけでなく、補助脚の上部の後向折曲部により背凭れの背面が直接支持されるので、背凭れが倒伏状態に安定して支持される。
【００１１】
本発明の請求項６に記載の椅子は、請求項１ないし５のいずれかに記載の椅子であって、補助脚の前面が、収納位置において背凭れの背面に当接するようにしたことを特徴としている。
この特徴によれば、補助脚を収納したとき、それと背凭れとの間に隙間やがた付きが生じないので、体裁がよくなる。
【００１２】
本発明の請求項７に記載の椅子は、請求項１ないし６のいずれかに記載の椅子であって、補助脚の下端に、高さ調節用のアジャスタを設けたことを特徴としている。
この特徴によれば、床面が傾斜していたり、ゆがんでいたりしていても、アジャスタを調節して補助脚の下端を床面に接床しうるので、背凭れは倒伏状態に安定して支持される。
【発明を実施するための最良の形態】
【００１３】
以下、本発明の実施形態を図面に基づいて説明する。
【００１４】
図１は、本発明の椅子１の前方斜視図、図２は、同じく後方斜視図を示すもので、下端の前後両端部にキャスタ２、２が取付けられた左右一対の側脚３、３と、両側脚３間に設けられた座４と、同じ両側脚３間において座４の後端に近接するように設けられた背凭れ５と、この背凭れ５の背面に取付けられた補助脚６とを備えている。
【００１５】
座４の前端には、フットレスト７が、座４の下方に折り畳まれて格納されるように、回動可能に連結されている。フットレスト７の後端には、これを前方に引き出した際に床面と接床する支持脚８が、直角をなして上向きに一体的に連設されている。
【００１６】
座４とフットレスト７は、図示しないフレームをクッション材で覆ったものよりなり、それらのフレームの前端同士が回動可能に連結されている。
【００１７】
左右の側脚３間における前端下部には、フットレスト７の下面が当接することにより、格納位置に保持するとともに、前方に引き出す際のガイドの作用をなすローラ状の支持杆９が取付けられている。
【００１８】
図３に示すように、座４の後端は、左右の側脚３の対向面間に固定された枠状をなす座フレーム１０における左右の側部フレーム１０ａ、１０ａのやや後方寄りの上端部に、左右方向を向く枢軸１１をもって上下に回動可能に枢着されている。従って、座４を上向きに回動させることにより、その先端に連結されたフットレスト７を支持杆９を乗り越えて前方に引き出すことができる。
【００１９】
背凭れ５の下端は、上記左右の側部フレーム１０ａにおける座４の枢着部と近接する後方において、左右方向を向く枢軸１１により前後方向に回動可能に枢着されている。
【００２０】
図５に示すように、座フレーム１０の左方の側部フレーム１０ａと近接する内方には、前後方向を向くガススプリング１２の前端が、軸１２ａにより枢着され、その後方を向くピストンロッド１２ｂの後端には、背凭れ５の枢軸１１に上端が固着され、背凭れ５と一体的に回動する円弧状の作動レバー１３の下端が連結されている。
【００２１】
ガススプリング１２は、図２及び図３に示すように、例えば右方の側脚３における上部の外側面の凹部内に設けた操作レバー１４を外方に回動させることにより、それに連係されたワイヤ（図示略）を介して、ピストンロッド１２ｂの先端に突出しているバルブ（図示略）が押圧されてロックが解除され、自由に伸縮するようになっている。
【００２２】
従って、ロックが解除されている状態では、背凭れ５は、ガススプリング１２の付勢力に抗して自由に後傾することができる。操作レバー１４から手を離すと、ガススプリング１２のピストンロッド１２ｂがロックされ、背凭れ５を任意の後傾位置に停止させることができる。
【００２３】
なお、背凭れ５は、図５に示すように、やや後傾した最大起立状態から、ほぼ水平な倒伏状態までの間を回動しうるようになっている。
【００２４】
上記補助脚６は、図３に示すように、Ｕ字状フレーム１５の上端部間を横フレーム１６により結合した補助脚フレーム１７を、クッション材１８により覆って構成され、上端部には、後方に円弧状に湾曲する後向折曲部１９が形成されている（図５参照）。また、Ｕ字状フレーム１５の下端には、高さ調節用の左右一対のアジャスタ２０、２０が、クッション材１８を挿通して下方に突出するように取付けられている。
【００２５】
補助脚６の上端部、すなわちＵ字状フレーム１５の上端部間には、左右方向を向く支持アーム２１が、その両端の支持片２１ａ、２１ａの上端を左右方向を向く枢軸２２をもってＵ字状フレーム１５の対向面に枢着することにより、回動可能に取付けられている。支持アーム２１は、背凭れ５の内部のフレーム（図示略）に固定されており、従って補助脚６の上端部は、背凭れ５の後面に対し後向きに回動しうるようになっている。
【００２６】
図３及び図４に示すように、背凭れ５の内部のフレームの中央部には、平面視後向コ字状のガイドレール２３の前面が固定されている。このガイドレール２３の左右の後向片２３ａ、２３ａには、上下２条ずつのガイド溝２４、２４が、上下方向に沿って形成されている。
【００２７】
ガイドレール２３内には、上下方向を向く作動ロッド２５が、その上下両端に固着された、ガイドレール２３内に収納可能な左右寸法の上向コ字状及び下向コ字状の連結片２６、２６における左右の突片２６ａ、２６ａの枢支孔２７に、上下のガイド溝２４の外側方より挿入した段付ねじ２８、２８を挿通することにより、上下に移動可能に収容されている。
【００２８】
上記下部の連結片２６における左右の突片２６ａ間には、第１リンク部材２９の上端に固着された左右方向を向く枢支軸３０が、その両側面に形成された雌ねじ孔３１に、スペーサ３２、３２を介して段付きねじ２８、２８の先端部を螺合することにより、回動自在に枢着されている。
【００２９】
第１リンク部材２９の下端に固着された円筒状の枢支軸３３は、ガイドレール２３よりも後方において座フレーム１０における側部フレーム１０ａ、１０ａの後部の対向面間に固定された、左右方向を向く支持ロッド３４の中央部に回転自在に嵌合されている。
【００３０】
作動ロッド２５における上部の連結片２６の突片２６ａ、２６ａ間には、第２リンク部材３５の下端に固着された左右方向を向く枢支軸３６が、その両側面に形成された雌ねじ孔３７に、スペーサ３２、３２を介して段付きねじ２８、２８の先端部を螺合することにより、回動自在に枢着されている。
【００３１】
第２リンク部材３５の上端には、下端と同様の枢支軸３６が固着され、この枢支軸３６は、補助脚フレーム１７の横フレーム１６の前面の中央部に突設された左右一対の支持片３８、３８間にそれらの支持孔３９、３９に外方より挿入した段付きねじ２８、２８の先端部を、スペーサ３２、３２を介して枢支軸３６の雌ねじ孔３７に螺合することにより、回動自在に挟入して支持されている。
【００３２】
背凭れ５の背面の下部には、座フレーム１０の後方や第１リンク部材２９等を覆うカバー４０の上端が取付けられ、その下端の両側端を、両側脚３の後端下部の対向面の形成された上下方向を向くスライド溝４１に摺動自在に嵌合することにより、背凭れ５の後傾と同時に下端が下方に移動するようになっている。
【００３３】
以上説明した実施形態の椅子１において、図５に示すように、実線で示す起立状態にある背凭れ５を、２点鎖線のように徐々に後傾させると、第１リンク部材２９が支持ロッド３４を中心と後向きに強制的に回動させられ、作動ロッド２５の下端に枢着されている上端が上方に変位することにより、作動ロッド２５は、ガイドレール２３内を、上下のガイド溝２４に案内されて上方に移動する。
【００３４】
すると、作動ロッド２５の上端に下端が枢着されている第２リンク部材３５が上方に押動させられ、その上端に枢着されている補助脚フレーム１７の上部を斜め後ろ上方に押圧する。これにより補助脚６は、支持アーム２１における左右の支持片２１ａの枢軸２２（図３参照）を中心として後向きに徐々に回動する。
【００３５】
そして、背凭れ５をほぼ水平をなす倒伏状態まで後傾させると、作動ロッド２５及び第２リンク部材３５がさらに上方（後方）に移動させられることにより、補助脚６は背凭れ５の背面に対し９０°よりも若干大きい使用位置まで後方に回動される。この状態でガススプリング１２をロックすることにより、背凭れ５は水平に保たれ、下端のアジャスタ２０を床面Ｆに接床させることにより、背凭れ５の上面の荷重を支えることができる。
【００３６】
この使用位置において、第２リンク部材３５の補助脚６への枢着部は、作動ロッド２５への枢着部の後ろ下方に位置し、第２リンク部材３５は、斜め上下方向に傾斜しているため、背凭れ５と補助脚６との間で筋交いの作用をすることとなり、補助脚６に後方から強い力が加わっても、これが前方に回動する恐れはない。
【００３７】
また、使用位置において、補助脚６の上端の後向折曲部１９の上面が背凭れ５の背面と当接することにより補助脚６と背凭れ５との間に隙間やがたが生じず、かつ補助脚６の後向折曲部１９により背凭れ５の背面が直接支持されるので、倒伏状態に安定して支持される。
【００３８】
背凭れ５を倒伏状態とし、フットレスト７を前方に引き出すと、それらの上面がほぼ同一の水平面となり、椅子１を簡易ベッドとして使用することができる。
【００３９】
背凭れ５を起立状態まで回動させると、第１リンク部材２９、作動ロッド２５及び第２リンク部材３５が上記と逆の動きをすることにより、補助脚６は、その前面が背凭れ５の背面と当接する収納位置まで自動的に回動する。
【００４０】
以上説明したように、上記実施形態の椅子においては、背凭れ５を起倒動作させるだけで、それと連動して補助脚６が自動的に使用位置と収納位置とに回動するため、余分な操作は不要となり、操作性が向上する。
【００４１】
また、補助脚６の回動は、作動ロッド２５と、第１、第２リンク部材２９、３５とをもって直接的に行われるので、回動が確実であり、故障する恐れもない。
【００４２】
さらに、作動ロッド２５及びガイドレール２３は、ガイドレール２３により案内されて安定的に昇降するので、第１、第２リンク部材２９、３５の動きもスムーズとなるばかりか、背凭れ５のクッション材の内部に設けられて外部に露出されていないため、見栄えがよいとともに、クッション材にて保護されるので、外部からの衝撃による故障等が発生しにくい。
【００４３】
本発明は、上記実施形態に限定されるものではなく、種々の形態をとり得る。
【００４４】
上記実施形態では、ガイドレール２３の後向片２３ａ、２３ａに、上下２条ずつのガイド溝２４を形成したが、連続する１条のガイド溝としてもよい。
【００４５】
作動ロッド２５の上下両端と第１、第２リンク部材２９、３５との連結構造は、種々の変形例が考えられる。例えば連結端部の一方にスリット状の凹溝を形成し、この凹溝内に他方の端部を挟入し、それらを、ガイドレール２３のガイド溝２４に挿通した左右方向を向く１本の枢軸により、回動自在に連結してもよい。
【００４６】
本発明は、フットレストが、単に座４の下方に前方に引き出し可能に収納されている椅子にも適用しうるとともに、フットレストのない座４のみの椅子にも適用することができる。
【図面の簡単な説明】
【００４７】
【図１】本発明の一実施形態の椅子を前方より見た斜視図である。
【図２】同じく後方より見た斜視図である。
【図３】同じく補助脚の回動機構を後方より見た斜視図である。
【図４】同じく補助脚の回動機構の分解斜視図である。
【図５】同じく補助脚の回動動作を示す側面図である。
【符号の説明】
【００４８】
１                椅子
２                キャスタ
３                側脚
４                座
５                背凭れ
６                補助脚
７                フットレスト
８                支持脚
９                支持杆
１０              座フレーム
１０ａ            側部フレーム
１１              枢軸
１２              ガススプリング
１２ａ            軸
１２ｂ            ピストンロッド
１３              作動レバー
１４              操作レバー
１５              Ｕ字状フレーム
１６              横フレーム
１７              補助脚フレーム
１８              クッション材
１９              後向折曲部
２０              アジャスタ
２１              支持アーム
２１ａ            支持片
２２              枢軸
２３              ガイドレール
２３ａ            後向片
２４              ガイド溝
２５              作動ロッド
２６              連結片
２６ａ            突片
２７              枢支孔
２８              段付きねじ
２９              第１リンク部材
３０              枢支軸
３１              雌ねじ孔
３２              スペーサ
３３              枢支軸
３４              支持ロッド
３５              第２リンク部材
３６              枢支軸
３７            雌ねじ孔
３８            支持片
３９            支持孔
４０            カバー
４１            スライド溝
Ｆ              床面
【図１】
2006223732.tif 000003
【図２】
2006223732.tif 000004
【図３】
2006223732.tif 000005
【図４】
2006223732.tif 000006
【図５】
2006223732.tif 000007